(57)【要約】【課題】外箱の両側に生じる隙間を埋めることができる瓶の包装用パッドを提供する。【解決手段】胴部、肩部及び首部が連続し、肩部が首部へかけてテーパー状に細くなる瓶Ｂの包装に使用され、瓶Ｂが載せられる底壁１と、その側縁から順次繋がる内側板６及び外側板８から成る側壁３を備えた厚紙製の包装用パッドにおいて、前記側壁３を、瓶Ｂの胴部及び肩部にそれぞれ沿う胴当部４及び肩当部５から構成し、肩当部５には、内側板６と外側板８の間に瓶Ｂの首部側へかけて徐々に幅が広くなる額縁板７を設け、胴当部４と肩当部５の外側板８の境界部分に切目９を入れる。【選択図】　図５
2004115071.tif 000002
【特許請求の範囲】
【請求項１】
胴部、肩部及び首部が連続し、肩部が首部へかけてテーパー状に細くなる瓶の包装に使用され、瓶が載せられる底壁１と、その側縁から順次繋がる内側板６及び外側板８から成る側壁３を備えた厚紙製の包装用パッドにおいて、前記側壁３を、瓶の胴部及び肩部にそれぞれ沿う胴当部４及び肩当部５から構成し、肩当部５には、内側板６と外側板８の間に瓶の首部側へかけて徐々に幅が広くなる額縁板７を設け、胴当部４と肩当部５の外側板８の境界部分に切目９を入れたことを特徴とする瓶の包装用パッド。
【請求項２】
前記胴当部４の外側板８を内側板６に貼り付け、胴当部４と肩当部５の外側板８の境界部分の切目９に繋部を設けたことを特徴とする請求項１に記載の瓶の包装用パッド。
【請求項３】
前記胴当部４に、瓶の底部側で底壁へかけて後退する傾斜縁１５を形成し、その基端を結ぶ折目を介して底壁１に底端片１６を設けたことを特徴とする請求項１又は２に記載の瓶の包装用パッド。
【発明の詳細な説明】
【０００１】
【発明の属する技術分野】
この発明は、瓶の箱詰め包装に使用する厚紙製の包装用パッドに関する。
【０００２】
【従来の技術】
従来、２本の一升瓶を箱詰め包装する際、図６に示すような厚紙のブランクから成る包装用パッドが使用されている。このパッドのブランクでは、一対の底壁５１が仕切壁５２の部分を介して連設され、各底壁５１の外側に側壁５３の部分が連設されている。
【０００３】
仕切壁５２は、胴当部５４及び肩当部５５から構成され、これら各部にはそれぞれ仕切板５６及び額縁板５７が底壁５１側から順次設けられている。肩当部５５の額縁板５７は、瓶の首部側へかけて徐々に幅が広がり、肩当部５５の仕切板５６と底壁５１との境界は切り離されている。一方、側壁５３は、底壁５１から順次繋がる均一幅の内側板５６と外側板５８とを備えている。
【０００４】
また、底壁５１には首受部６０が連設され、この首受部６０は、底壁５１の一端縁から立上板６１、頂板６２、立上板６１及び裏板６３を順次連設し、立上板６１を瓶の首部を受けられるように丸みをつけて切り欠き、頂板６２の内側縁に首当片６４を連設したものとなっている。
【０００５】
上記ブランクを組み立てるには、図７に示すように、側壁５３の外側板５９を内側板５８に貼り付けると共に、首受部６０の立上板６１、頂板６２、立上板６１及び裏板６３を巻き込んで、裏板６３を底壁５１の裏面に貼り付け、底壁５１から内側板５６を起こし、首受部６０の立上板６１を起こす。
【０００６】
そして、このパッドを外箱Ｃに挿入し、瓶Ｂを仕切壁５２と側壁５３の間に収納すると、瓶Ｂの胴部が仕切壁５２の胴当部５４に、肩部が肩当部５５にそれぞれ沿い、外箱Ｃの中央部側の空間が肩当部５５の額縁板５７で埋められる。
【０００７】
【発明が解決しようとする課題】
しかしながら、上記のような包装用パッドでは、外箱Ｃの両側において、側壁５３と瓶Ｂの肩部の間に隙間ができるため、ギフト用パッケージとしての印象がよくないという問題がある。
【０００８】
そこで、この発明は、外箱の両側に生じる隙間を埋めることができる瓶の包装用パッドを提供することを課題とする。
【０００９】
【課題を解決するための手段】
上記課題を解決するため、この発明に係る包装用パッドでは、底壁の側縁から順次繋がる内側板及び外側板から成る側壁を、瓶の胴部及び肩部にそれぞれ沿う胴当部及び肩当部から構成し、肩当部には、内側板と外側板の間に瓶の首部側へかけて徐々に幅が広くなる額縁板を設け、この額縁板で外箱の両側に生じる隙間を埋めることとし、胴当部と肩当部の外側板の境界部分に切目を入れ、外側板に生じる歪みを吸収することとしたのである。
【００１０】
また、前記胴当部の外側板を内側板に貼り付け、胴当部と肩当部の外側板の境界部分の切目に繋部を設けることにより、肩当部の外側板を内側板に折り重なった状態に保持し、機械での組立時にトラブルが生じないようにしたのである。
【００１１】
さらに、前記胴当部に、瓶の底部側で底壁へかけて後退する傾斜縁を形成し、その基端を結ぶ折目を介して底壁に底端片を設け、外箱にセットする際、底端片を折り曲げつつ、傾斜縁沿いに滑らせるように挿入することにより、外箱の額縁部に引っ掛かりにくいようにしたのである。
【００１２】
【発明の実施の形態】
以下、この発明の実施の形態を添付図面に基づいて説明する。
【００１３】
この包装用パッドは、図１に示すような厚紙製ブランクから形成される。このブランクでは、一対の底壁１が仕切壁２の部分を介して連設され、各底壁１の外側に側壁３の部分が連設されている。
【００１４】
仕切壁２及び側壁３は、胴当部４及び肩当部５から構成され、仕切壁２の各部には内側板６及び額縁板７が、側壁３の胴当部４には内側板６及び外側板８が、肩当部５には内側板６、額縁板７及び外側板８がそれぞれ底壁１側から順次設けられている。
【００１５】
仕切壁２及び側壁３において、肩当部５の額縁板７は、瓶の首部側へかけ徐々に幅が広がり、肩当部５の内側板６と底壁１の境界は切り離されている。また、側壁３において、胴当部４と肩当部５の外側板８の境界部には、鉛直な折目に対して傾斜した切目９が入れられ、その外端部には繋部が設けられている。
【００１６】
さらに、底壁１には首受部１０が連設され、この首受部１０は、底壁１の一端縁から立上板１１、頂板１２、立上板１１及び裏板１３を順次連設し、立上板１１を瓶の首部を受けられるように丸みをつけて切り欠き、頂板１２の内側縁に首当片１４を連設したものとなっている。
【００１７】
また、仕切壁２及び側壁３の胴当部４には、瓶の底部側で内側板６及び外側板８が底壁１へかけて後退する傾斜縁１５が形成され、その基端を結ぶ折目を介して底壁１に底端片１６が設けられている。
【００１８】
上記ブランクから成る包装用パッドは、図２に示すように、側壁３において、胴当部４の外側板８を裏側へ折り返して内側板６に貼り付けると共に、首受部１０の裏板１３を裏側へ折り返して底壁１に貼り付けた状態で供給される。
【００１９】
この状態では、切目９の繋部により、側壁３の胴当部４と肩当部５の外側板８が繋がっているので、肩当部５の外側板８が内側板６に折り重なった状態に保持され、包装時の組立を機械で行う際におけるトラブルが防止される。
【００２０】
いま、上記のような包装用パッドを使用して、２本の瓶を箱詰め包装する際には、まず、図３に示すように、底壁１から仕切壁２及び側壁３の内側板６を起こし、首受部１０の立上板１１を起こす。
【００２１】
次に、側壁３において、肩当部５を内側へ折り曲げ、切目９の繋部を切断し、額縁板７を水平方向へ折り曲げて、外側板８の折り曲げを戻すと、胴当部４と肩当部５の外側板８が重なり合って、外箱への内接時における外側板８の歪みが吸収される。
【００２２】
その後、図４に示すように、外箱Ｃへのセットに際し、箱内へ首受部１０側から落とし込み、底端片１６を折り曲げつつ、傾斜縁１５沿いに滑らせるように挿入すると、外箱Ｃの額縁部に底壁１の端部が引っ掛かりにくく、この包装用パッドを外箱Ｃに容易にセットできる。
【００２３】
上記のように包装用パッドをセットして、図５に示すように、仕切壁２と各側壁３の間に瓶Ｂを収納すると、仕切壁２の額縁板７で外箱Ｃの中央部に生じる隙間が埋められるだけでなく、側壁３の額縁板７で外箱Ｃの両側に生じる隙間が埋められるので、体裁のよい包装が可能となる。
【００２４】
【発明の効果】
以上のように、この発明に係る包装用パッドでは、側壁の肩当部に瓶の首部側へかけて徐々に幅が広くなる額縁板を設けたので、この額縁板で外箱の両側に生じる隙間が埋められて、体裁のよい包装が可能となり、側壁の外側板の歪みは切目で吸収される。
【図面の簡単な説明】
【図１】この発明に係る包装用パッドのブランクを示す図
【図２】同上の組立前の状態を示す斜視図
【図３】同上の組立過程を示す斜視図
【図４】同上の外箱への挿入過程を示す側面図
【図５】同上の外箱へのセット状態を示す斜視図
【図６】従来の包装用パッドのブランクを示す図
【図７】同上の外箱へのセット状態を示す斜視図
【符号の説明】
１　底壁
２　仕切壁
３　側壁
４　胴当部
５　肩当部
６　内側板
７　額縁板
８　外側板
９　切目
１０　首受部
１５　傾斜縁
１６　底端片
Ｂ　瓶
Ｃ　外箱
【図１】
2004115071.tif 000003
【図２】
2004115071.tif 000004
【図３】
2004115071.tif 000005
【図４】
2004115071.tif 000006
【図５】
2004115071.tif 000007
【図６】
2004115071.tif 000008
【図７】
2004115071.tif 000009